(57)【要約】【課題】要素の配列が意味をもつ事象において、要素配列作成をユーザーに対して支援する装置であると同時に、ユーザーの作成過程のパタンと作成された要素配列の特性を記録する機能をもつ情報処理装置を提供する。【解決手段】要素の配列が意味をもつ事象において、基本となる要素と基本となる配列をあらかじめ定めておき、基本配列において核となる基本要素をユーザーがひとつ選択することによって意味をもつ基本要素配列が自動生成される情報処理装置であって、これをもとに、ユーザーの望む要素配列とするために、ユーザーが行う操作パタンと作成された要素配列の傾向を記録し、これらを別のデータベースに格納する機能をもつ情報処理装置。【選択図】図１
2007226393.tif 000002
【特許請求の範囲】
【請求項１】
要素の配列が意味をもつ事象において、基本となる要素と基本となる配列をあらかじめ定めておき、基本配列において核となる基本要素をユーザーがひとつ選択することによって意味をもつ基本要素配列の自動生成される確率が高くなるように設定された情報処理装置。
【請求項２】
上記の情報処理装置において自動生成された基本要素配列をもとに、ユーザーの望む要素配列とするために、ユーザーが行う操作パタン、例えば、配列を組み換えるパタンや要素を置き換えるパタンなどを記録し、また、ユーザーが作成した要素配列の傾向、例えば、要素と要素の関係などを記録し、これらを別のデータベースに格納する機能をもつ情報処理装置。
【請求項３】
上記のふたつの機能をもつ情報処理装置を言語に適用した場合の基本文生成装置。
【発明の詳細な説明】
【技術分野】
【０００１】
本発明は、情報処理の技術に関する。
【背景技術】
【０００２】
データ分析の手法として、定量データについてはデータマイニングが、定性データについてはテキストマイニングがよく知られている。現行のマイニングは、すでに集められた多量のデータを対象とするため、高度な技術と時間、費用を要する。本装置は分析に適したデータを集めることを目的のひとつとするので、少量のデータをリアルタイムに、かつ低コストで提供することができる。
【発明の開示】
【発明が解決しようとする課題】
【０００３】
要素の配列が意味をもつ事象において、要素配列作成をユーザーに対して支援する装置であると同時に、ユーザーの作成過程のパタンと作成された要素配列の特性を記録する機能をもつ情報処理装置を提供する。
【課題を解決するための手段】
【０００４】
上記課題を達成するために、本装置の開発者または少数者を対象としたアンケート調査によって、ある事象において基本となる要素群と基本となる配列群及び要素と要素の親疎性（結びつきの強さ）を初期設定する。要素には、配列に置き得る位置と置き得ない位置に関する情報ももたせる。
【０００５】
基本要素配列において、核となる基本要素をユーザーが基本要素群から選択することにより、他の要素は要素間の親疎性にもとづいて基本配列に組み込まれる。ユーザーには、親疎性の強さに従って生成された基本要素配列が提示される。提示数が多い場合は、乱数を使用して、一定数を提示する。
【０００６】
ユーザーは提示された基本要素配列を、ユーザーの望む要素配列に変換する。このときに、基本要素と意味的に類似する、シソーラスに相当する要素群のデータベースを本装置に接続することによって、ユーザーは基本要素の置き換えを行うことができる。又、先人の作成した要素配列と、その要素配列における要素を基本要素に変換した配列を結びつけたデータベースを本装置に接続することによって、ユーザーは基本要素から先人の要素配列を呼び出して参照することができる。ユーザーは、ふたつのデータベースを活用して、自動生成された基本要素配列における基本要素から意味的に類似する要素への置換、基本要素の削除、要素の付加、配列の変換などの操作を行い、ユーザーの望む要素配列を取得する。
【０００７】
作成された要素配列はユーザーが利用すると同時にデータベースに登録される。データベースには、ユーザーの作成した要素配列と、その要素配列における要素を基本要素に変換した配列が結び付けられた形で登録されることになる。このことによって、別のユーザーは、基本要素からすでに作成された要素配列を参照するために呼び出すことができる。
【０００８】
要素配列が意味をもつ事象とは、言語、音声、映像をはじめ、およそ要素を配列することによって、ユーザーメリットの生じる事象を指す。本装置における要素と配列を変数と読みかえると、本装置は関数のひとつと考えることができる。
【０００９】
本装置を利用するユーザーが増え、データベースに格納されたユーザーの作成した要素配列が一定数に達した時点で、要素間の親疎性（結びつきの強さ）を見直し、修正を行う。
【００１０】
要素を配列することによってユーザーメリットの生じる事象に本装置を置くことで、ユーザーの要素配列作成過程における操作パタン、作成された要素配列の特性に関する情報を取得することができる。これらのデータは、第三者に提供されることになるが、本装置をユーザーが利用するにあたって、あらかじめこのことに同意していることが必要である。ユーザー層の特性は、本装置利用登録において、個人情報を除くユーザーの属性情報を取得することによって、その傾向を見ることができる。
【００１１】
本装置の目的のひとつは、分析に適したデータを集めることであるが、ユーザーが深層心理を垣間見せるケースは、直接的なアンケートではなく、他のことに心が向いているときではないかとの考えが根拠となる。
【００１２】
要素を配列することによってユーザーメリットの生じる事象に本装置を置くことになるが、設置数はひとつである必要はなく、複数の装置を設けて相互に連携をもたせることもできる。また、モニターのような仮想のユーザーが本装置を利用し、例えば、コールセンターにおける想定質問によるやりとりで回答に至るまでの過程をデータとして取得することもできる。
【００１３】
情報化が進み、ユーザー層が多様化することによって、また、扱えるデータの容量が大きくなることで、本装置の適用範囲も広くなることができる。
【発明の効果】
【００１４】
意味をもつ基本要素配列が自動生成される確率の高い本装置をユーザーが利用することにより、ユーザーが望む要素配列の作成を支援することができる。
【００１５】
本装置で取得したユーザーのパタンデータは、本装置に接続する予定の解析装置によって分析され、その結果は消費者が望む商品についての有益な情報として第三者である企業に提供される。
【発明を実施するための最良の形態】
【００１６】
本装置は、ソフトとしてインターネット上で運用することを前提としている。
【実施例】
【００１７】
以下、本装置の形態のひとつである日本語の基本文生成装置について説明する。情報処理装置における要素が語に、配列が文型に相当する。そして、基本要素は基本語彙にあたるが、これは例えば国立国語研究所の基本語彙を使用する。基本語彙については、あらかじめカテゴリーを設け、大分類、中分類、小分類に区分けする。（図２）
【００１８】
基本文生成装置に接続するデータベースは次の４つである。１シソーラス、基本語彙に意味的に類似する語彙群を指すが、これは例えば国立国語研究所のシソーラスを使用する。
２ユーザーデータベース、これはユーザーが基本文生成装置を利用して作成した文とユーザーの作成した文の各語を基本語彙に変換した文を結びつけた文の集まりである。これによって、基本語彙からユーザーの作成した文を呼び出すことができる。ユーザーの作成した文の著作権は、ユーザー利用時の同意によって基本文生成装置に留保することを予定している。３作品データベース、著作権の切れた文学表現に秀でた文学者の、電子化された作品を基本文生成装置に接続することにより、ユーザーは模範文として文作成時に参照することができる。ユーザーデータベースと同じ方法で文学者の作成した文と、その文の各語を基本語彙に変換した文とをあらかじめ結びつけておく。４パタンデータベース、ユーザーが文を作成する過程の操作パタン及び作成された文のパタンは記録され、分析のためのデータベースとして格納される。
【００１９】
名詞、動詞、形容詞、副詞について、品詞に属する各語と別の品詞に属する語の結びつきの強さを定める。すなわち、名詞の各語について、その語と関係の深い動詞の語を結びつける。動詞の各語について、その語と関係の深い名詞の語を結びつける。名詞の各語について、その語と関係の深い形容詞の語を結びつける。動詞の各語について、その語と関係の深い副詞の語を結びつける。形容詞の各語について、その語と関係の深い副詞の語を結びつける。これらの結びつけの方法としては、基本文生成装置の開発者が主観によって定めるか、少数者を対象としたアンケート調査を実施して回答数の多さによって定めるかは任意である。この時点での結びつけは暫定であり、データの集まりが一定数に達した時点で修正を行う。
【００２０】
基本文生成装置では、次の４つを基本文型とする。１文型、名詞、格助詞（は）、名詞、判定詞（だ）。２文型、名詞、格助詞（は）、副詞、形容詞。３文型、名詞、格助詞（は）、副詞、動詞。４文型、名詞、格助詞（は）、名詞、格助詞（を）、動詞。
【００２１】
ユーザーは文において核となる名詞をひとつ決める。この名詞は基本語彙であることが必要であり、基本語彙でない場合、文生成は行われない。したがって、文生成が行われないときは、シソーラスを使用して基本語彙を特定する。基本文生成装置では、ユーザーが文を作成しようとするとき、まず思い浮かべる語は平易な名詞であり、すなわち名詞の基本語彙であることを想定している。
【００２２】
基本文生成装置では、次の順にしたがい、語の結びつきの強さによって４つの文型に語が配置される。１、ユーザーの決めた名詞。１文型と４文型の名詞について、主部に配置されるか、述部に配置されるかは乱数を使用して決定する。２、１文型における名詞、２文型における形容詞、３文型における動詞、４文型における動詞。３、２文型における副詞、３文型における副詞、４文型における名詞。ここで生成される４つの文は必ずしも意味的に通じるとは限らないが、意味の通じる文の生成割合は乱数のみを使用した場合に比べると高いと思われる。
【００２３】
生成された４パタンの文が語の結びつきの強さに応じて、すなわち意味の通じる割合の高い文からユーザーに提示されることになるが、提示数を各タイプにつきひとつとするか、一定数とするか、あるいはすべてとするかは任意である。
【００２４】
生成された４パタンの文のうち、ユーザーの望む文にもっとも近い文をひとつ選択する。そして、次の操作を行う。１、文型の変更。例えば疑問形にする。２、文体の変更。例えば、敬語にする。３、語の削除又は付加。付加する場合、基本語彙のカテゴリーを使用することができる。４、語の置換。シソーラスを使用することができる。１から４の操作にあたっては、ユーザーデータベース又は作品データベースを参照することもできる。
【００２５】
ユーザーの作成した文は、ユーザーが利用すると同時に別のユーザーのために識別をつけて、ユーザーデータベースに登録する。
【００２６】
基本文生成装置におけるユーザーメリットは次の３点である。１、自動生成された文をもとに、ユーザーは望む文を作成することができる。又、語の使い方を把握することもできる。２、シソーラスを使用して、ユーザーの望む語に置き換えることができる。３、ユーザーデータベース又は作品データベースを参照して、文作成の参考にすることができる。
【００２７】
ユーザーデータベースに登録された文が一定数に達した段階で初期に設定した結びつきの強さを修正する。この作業は、次に一定数に達した段階で、その次に一定数に達した段階で、という形での定例作業になる。この作業によって、そのときどきのユーザーの傾向を基本文生成装置に反映させることができる。
【００２８】
本装置を利用するユーザーは文を書く人たちであるが、そうした人の属性のひとつとして、好奇心をあげることができる。好奇心は情報感度の高さと言い換えることもできる。そして、作成された文が公にされた場合、読み手に対して何らかの影響を与える可能性も考えることができる。基本文生成装置を利用する書き手の中には、オピニオンリーダー的存在も含まれてくるかもしれない。あるいは含めることも検討に値する。書き手と読み手の割合は、読み手が圧倒的多数と思われる。以上のことから、基本文生成装置を利用するユーザーからは、質の高いデータを取得することができる。そして、読み手は対象としないので、データ量は少なくてすむ。
【００２９】
ユーザーが文を作成する過程においてとった操作及び作成された文の特性はパタンデータベースに記録される。そして、解析装置を基本文生成装置に接続することによって、第三者である企業に分析結果が提供される。
【００３０】
以上は、日本語における基本文生成装置であるが、語を要素又は記号としてとらえると、他の言語についても適用することができる。
【産業上の利用可能性】
【００３１】
本装置は分析に適したデータを集めることを目的のひとつとするので、消費者が望む商品についての少量からなる有益な情報をリアルタイムに、かつ低コストで企業に対して提供することができる。なお、本装置はユーザーから取得するパタンデータをもとに接続された解析装置から得られる分析結果によって費用をまかない、かつ収益とするので、本装置を利用する法人は相当する対価を支払うことになる。企業はユーザーとして、本装置を利用することもできるが、この場合、パタンデータは取得されない。これは、本装置利用登録時に個人とするか、法人とするかによって区別する。本装置はシソーラスなどの外部データベースの使用料や外部解析装置の価格にもよるが、本装置利用料という形で課金することによって、広く普及することができると考える。
【図面の簡単な説明】
【００３２】
【図１】情報処理装置のフロー図
【図２】基本文生成措置の画面イメージ
【図１】
2007226393.tif 000003
【図２】
2007226393.tif 000004